(57)【要約】【課題】本発明は、低コストで強度的及び耐久性が強く、コンクリート構造物に強固に固着し、見栄えの良く、且つ金属部分のサビない木製残存型枠を提供するにある。【解決手段】本発明は四角形状に枠組した形鋼（１）と、多数本の細長木材（２）とから少なくとも成り、前記細長木材（２）を多数本並列に密着させ前記形鋼（１）に木ネジ（３）で固着させたものである。また前記形鋼（１）が、該形鋼（１）と前記細長木材（２）との間にステンレス製の棒材（４）を複数本設け、前記細長木材（２）の裏面（２ａ）から浮かせ隙間（５）を設けるとよい。【選択図】        図１
2004176495.tif 000002
【特許請求の範囲】
【請求項１】
四角形状に枠組した形鋼（１）と、多数本の細長木材（２）とから少なくとも成り、前記細長木材（２）を多数本並列に密着させ前記形鋼（１）に木ネジ（３）で固着させたことを特徴とする木製残存型枠。
【請求項２】
前記形鋼（１）が、該形鋼（１）と前記細長木材（２）との間にステンレス製の棒材（４）を複数本設け、前記細長木材（２）の裏面（２ａ）から浮かせ隙間（５）を設けた請求項１記載の木製残存型枠。
【請求項３】
前記形鋼（１）が溝形鋼である請求項１、２記載の木製残存型枠。
【請求項４】
前記細長木材（２）が、その断面形状を略蒲鉾形とする請求項１、２、３記載の木製残存型枠。
【請求項５】
前記細長木材（２）に、防腐処理及び前記形鋼（１）に防錆処理を施した請求項１、２、３、４記載の木製残存型枠。
【発明の詳細な説明】
【０００１】
【発明の属する技術分野】
本発明は、コンクリート製の構造物を施工する際に、そのものがコンクリート打設時に型枠として使用し、コンクリートの打設後にはコンクリート構造物の表面に残存するタイプの木製残存型枠に関する。
【０００２】
【従来の技術】
従来、コンクリート製の擁壁，砂防ダム，橋脚等の構造物を施工する際に、施工の容易さ，表面仕上の美しさ，環境との調和などから、コンクリート打設時には型枠として使用し、コンクリートが固化後には構造物の表面に残存し取付けられて壁材となる等の両方の機能を有する残存型枠が使用されている。この残存型枠としては、パネル本体をコンクリート製又はプラスチック製としたものが殆どであり、そのパネル本体の表面には天然石風の外観や擬木風の外観を施している。
【０００３】
【発明が解決しようとする課題】
しかしながら、従来の残存型枠のパネル本体がコンクリート製あるいはプラスチック製では、強度及び耐久性が良いとしても、表面の外観を天然石風や擬木風にしても天然のものに比べ見栄えが悪く、自然な風合いや質感を出すことは極めて難しく、より自然に近づけるためには相当のコスト高となり、外観が天然により近く安価な残存型枠を要求されていた。他方、天然もので、特に木材を残存型枠のパネル本体に使用する場合には、強度及び耐久性が問題となり、現在残存型枠として殆ど使用されていない等の問題点を有していた。
【０００４】
本発明の目的は、低コストで強度的及び耐久性が強く、且つ見栄えの良い木製残存型枠を提供するにある。
【０００５】
本発明の他の目的は、コンクリート構造物に強固に固着し、脱落がなく、且つ金属部分のサビない木製残存型枠を提供するにある。
【０００６】
【課題を解決するための手段】
この目的を達成するために本発明は四角形状に枠組した形鋼（１）と、多数本の細長木材（２）とから少なくとも成り、前記細長木材（２）を多数本並列に密着させ前記形鋼（１）に木ネジ（３）で固着させたものである。
【０００７】
また前記形鋼（１）が、該形鋼（１）と前記細長木材（２）との間にステンレス製の棒材（４）を複数本設け、前記細長木材（２）の裏面（２ａ）から浮かせ隙間（５）を設けるとよい。
【０００８】
また前記形鋼（１）が溝形鋼にすると好ましい。
【０００９】
また前記細長木材（２）が、その断面形状を略蒲鉾形とするとよい。
【００１０】
また前記形鋼（１）及び前記細長木材（２）に防腐処理及び前記形鋼（１）に防錆処理を施すのが好ましい。
【００１１】
【発明の実施の形態】
以下、本発明の実施の形態につき、図を説明する。図１は本発明の実施形態を示す断面図、図２は本発明の裏側から見た平面図、図３は本発明の形鋼の全体斜視図、図４は本発明の形鋼と細長木材の固着状態を示す説明図、図５は本発明の他の実施形態で形鋼と棒材を示す斜視図、図６は本発明の棒材を設けた形鋼と細長木材の固着状態を示す説明図、図７は本発明の棒材を設けた実施形態の側面図である。
【００１２】
図１〜図４において、（１）は断面コの字状の溝形鋼を四角形状に枠組した形鋼である。該形鋼（１）は図３、図４で示すように、その開口部（１ａ）を内側に向け四角形状に枠組したものである。そして、前記形鋼（１）の枠内には縦方向に２本の溝形鋼を使用した補強用形鋼（１１）を固着している。また前記形鋼（１）及び補強用形鋼（１１）には、その上折曲部（１ｃ）と下折曲部（１ｄ）とを貫通する多数の貫通穴（１ｅ），（１ｆ）を穿設させ、上折曲部（１ｃ）の貫通穴（１ｅ）は後述する木ネジ（３）の全体が貫通する穴であり、貫通穴（１ｆ  ）は木ネジ（３）のネジ部だけが通る大きさの穴径である。また前記形鋼（１）の側部（１ｂ）には、コンクリート打設時の空気を逃がすための多数の空気穴（１ｇ）を穿設させている。
【００１３】
（２）は細長木材であり、該細長木材（２）はその断面形状を略蒲鉾形とするのが好ましく、彎形の表面と反対の平面を裏面（２ａ）として使用する。この前記細長木材（２）を略蒲鉾形に形成するのは、丸太の径を半分に分割し、その両辺を裏面（２ａ）と直角に切り落すことにより、簡単に略蒲鉾形に成形できると共に成形時における木材の無駄があまりでないので好ましい。この細長木材（２）は通常低コストの間伐材が使用され、あまり利用価値のない間伐材の有効利用ともなる。また、細長木材（２）は四角形状に枠組した形鋼（１）の全体巾よりも多少長くしたものである。尚、前記細長木材（２）の断面形状としては蒲鉾形状の外に、半円，四角形，三角形等としてもよい。又、細長木材（２）は、多数本を並列に密着させた状態で細長木材（２）の裏面（２ａ）側を形鋼（１）に後述する木ネジ（３）で固着させる。この固着状態では多数本の細長木材（２）が１枚のパネル状を呈し、且つ四角形状に枠組した形鋼（１）はパネル状の細長木材（２）の平面な裏面（２ａ）内から突出した状態となる。尚、細長木材（２）は一種類の断面形状のものを並列に並べてもよいが、他の断面形状のものと組合せて並べてもよい。
【００１４】
（３）はステンレス製の木ネジである。該木ネジ（３）は形鋼（１）の上折曲部（１ｃ）の貫通穴（１ｅ）を木ネジ（３）全体が貫通し、下折曲部（１ｄ）のネジ部のみ貫通する貫通穴（１ｆ  ）にネジ部を挿通し、その先の細長木材（２）にネジ部を締め込んで細長木材（２）を形鋼（１）の下折曲部（１ｄ）に順次多数本を固着させる。
【００１５】
（４）は図５〜図７に示すように縦方向に配した形鋼（１）及び補強用形鋼（１１）の下折曲部（１ｄ）下部に並行して固着させたステンレス製の棒材である。該棒材（４）は貫通穴（１ｅ），（１ｆ）をよけて側部（１ｂ）側の下折曲部（１ｄ）下部に設けるのが好ましい。また前記棒材（４）の形状としては、丸棒，角棒等である。この棒材（４）は形鋼（１）及び補強用形鋼（１１）と細長木材（２）との間に入り、細長木材（２）の裏面（２ａ）から形鋼（１）を棒材（４）で浮かせ隙間（５）を設ける役目を成す。これにより、コンクリート構造物を施工する際に打設コンクリートが隙間（５）にも入り込み、形鋼（１）の全体がコンクリート内に埋設されるため、形鋼（１）が直接空気や雨水にされされず錆の発生を防止できる。
【００１６】
尚、形鋼（１）には防錆処理を施し、細長木材（２）には防腐処理を施すが、防錆処理としてはメッキ，塗装等であり、特にカチオン電着塗装が防錆効果の点で好ましい。又、防腐処理としては、防腐剤の塗布や含浸を行うのが好ましい。
【００１７】
【発明の効果】
本発明は上記のように構成したことにより、以下の効果を有する。
【００１８】
形鋼（１）は四角形状に枠組したので構造的に剛性が高く、且つその形鋼（１）に細長木材（２）を固着させたことにより、より全体の強度も増し、これをコンクリート構造物の型枠として使用する際に打設コンクリートの側圧に対しても充分な強度を確保できると共に、打設コンクリートが固化した状態では細長木材（２）の裏面（２ａ）から突出した形鋼（１）がコンクリート内に入り込みコンクリート構造物の表面に強固に固着すると共に木製パネルとして残存し剥がれ落ちることがない。
【００１９】
また細長木材（２）が多数本を並列に密着させて１枚のパネル状にしたことにより、型枠として枠組した細長木材（２）の裏面（２ａ）側に打設する打設コンクリートが細長木材（２）の裏面（２ａ）側から表側に流れ出ることがなく、表側が打設コンクリートで汚れることもない。特に細長木材（２）が、その断面形状を略蒲鉾形とすると、丸太から無駄なく蒲鉾形に成形でき、多数本を並列に密着した状態での密着性も高められる。他方、細長木材（２）はその断面形状の選択あるいは種々の断面形状の組合せ等で表面のパネル状の意匠を変化させることが自由にでき、且つ細長木材（２）の破損に対しても１本ずつの部分的な交換が可能で修復が容易となる。
【００２０】
更に形鋼（１）が断面コの字状の溝形鋼を使用することにより、打設コンクリートが溝形鋼の開口部（１ａ）内に入り込み、固化したコンクリート内に溝形鋼の上折曲部（１ｃ）が折曲状態で完全に埋設されるため、形鋼（１）が固化したコンクリートから抜け落ちることなく、形鋼（１）とコンクリートとの固着が極めて強固となると共に、型枠として枠組する際に、段積した型枠同志の連結を突出した形鋼（１）の上折曲部（１ｃ）の箇所でもって連結金具等を使用して簡単強固に連結できる。
【００２１】
また形鋼（１）と細長木材（２）との間に棒材（４）を複数本設け、形鋼（１）を細長木材（２）の裏面（２ａ）から浮かせて両者を固着させ、形鋼（１）と細長木材（２）との間に隙間（５）を設けることにより、打設コンクリートが隙間（５）にも入り込み、形鋼（１）の全体が完全にコンクリート内に埋設し、形鋼（１）がコンクリートで被覆されるので、直接空気や雨水にさらされず、又、細長木材（２）との接触もないため、形鋼（１）における錆の発生を防錆処理と相俟って防止できる。
【図面の簡単な説明】
【図１】本発明の実施形態を示す断面図である。
【図２】本発明の裏側から見た平面図である。
【図３】本発明の形鋼の全体斜視図である。
【図４】本発明の形鋼と細長木材の固着状態を示す説明図である。
【図５】本発明の他の実施形態で形鋼と棒材を示す斜視図である。
【図６】本発明の棒材を設けた形鋼と細長木材の固着状態を示す説明図である。
【図７】本発明の棒材を設けた実施形態の側面図である。
【符号の説明】
１  形鋼
２  細長木材
２ａ  裏面
３  木ネジ
４  棒材
５  隙間
【図１】
2004176495.tif 000003
【図２】
2004176495.tif 000004
【図３】
2004176495.tif 000005
【図４】
2004176495.tif 000006
【図５】
2004176495.tif 000007
【図６】
2004176495.tif 000008
【図７】
2004176495.tif 000009